(57)【要約】  本発明は、衣類が収容される収容空間が備えられるキャビネット；前記収容空間を開閉するために前記キャビネットに回動自在に連結されたドア；衣類のシワを除去するために衣類をプレスするプレッサ；前記収容空間の内側面又は前記ドアに前記プレッサを固定するためのプレッサ固定部を含み、前記プレッサ固定部は、前記収容空間の内側面又は前記ドアから突出した支持ホルダー；前記支持ホルダーが挿入されるように、前記プレッサの後面に凹状に備えられたプレッサ固定溝を含むことを特徴とする衣類処理装置を提供することができる。  【選択図】  図５
2019534100.tif 000002
【特許請求の範囲】
【請求項１】
衣類処理装置であって、
衣類が収容される収容空間が備えられるキャビネット；
前記収容空間を開閉するために前記キャビネットに回動自在に連結されたドア；及び
前記衣類のシワを除去するために前記衣類をプレスするプレッサ；
前記収容空間の内側面又は前記ドアに前記プレッサを固定するためのプレッサ固定部を備えてなり、
前記プレッサ固定部は、
前記収容空間の内側面又は前記ドアの内側面から突出した支持ホルダー；及び、
前記支持ホルダーが挿入されるように前記プレッサの後面に備えられたプレッサ固定溝；を備えてなることを特徴とする、衣類処理装置。
【請求項２】
前記プレッサ固定溝は、凹状に形成されることを特徴とする、請求項１に記載の衣類処理装置。
【請求項３】
前記収容空間の内側面又は前記ドアの内側面に備えられた支持部固定穴；及び、
前記支持ホルダーから延びて、前記支持部固定穴に挿入される支持部固定突起；を更に備えてなることを特徴とする、請求項１に記載の衣類処理装置。
【請求項４】
前記支持ホルダーには支持部溝が備えられ、前記プレッサ固定溝の内側から突出して、前記支持部溝に挿入されるプレッサ固定突起が備えられてなることを特徴とする、請求項１に記載の衣類処理装置。
【請求項５】
前記支持部溝は、凹状に形成されることを特徴とする、請求項４に記載の衣類処理装置。
【請求項６】
前記プレッサ固定突起は、弾性力を有する弾性部材によって上下に移動できるように備えられてなることを特徴とする、請求項４に記載の衣類処理装置。
【請求項７】
前記支持部溝は、前記支持ホルダーの上側に備えられてなることを特徴とする、請求項４に記載の衣類処理装置。
【請求項８】
前記支持ホルダーは、第１の支持ホルダーと、第２の支持ホルダーとを備えてなり、
前記第２の支持ホルダーは、前記第１の支持ホルダーから所定距離だけ離隔して備えられてなり、
前記プレッサ固定溝は、前記第１の支持ホルダーが挿入される第１のプレッサ固定溝と、前記第２の支持ホルダーが挿入される第２のプレッサ固定溝とを備えてなることを特徴とする、請求項１に記載の衣類処理装置。
【請求項９】
前記第１の支持ホルダーには第１の支持部溝が備えられ、前記第１のプレッサ固定溝の内側から突出して、前記第１の支持部溝に挿入される第１のプレッサ固定突起が備えられ、
前記第２の支持ホルダーには第２の支持部溝が備えられ、前記第２のプレッサ固定溝の内側から突出して、前記第２の支持部溝に挿入される第２のプレッサ固定突起が備えられてなることを特徴とする、請求項８に記載の衣類処理装置。
【請求項１０】
前記第１の支持部溝は、凹状に形成されることを特徴とする、請求項９に記載の衣類処理装置。
【請求項１１】
前記第２の支持部溝は、凹状に形成されることを特徴とする、請求項９に記載の衣類処理装置。
【請求項１２】
前記第１の支持部溝は、前記第１の支持ホルダーの上側に備えられ、
前記第２の支持部溝は、前記第２の支持ホルダーの上側又は下側に備えられてなることを特徴とする、請求項９に記載の衣類処理装置。
【請求項１３】
前記第１のプレッサ固定突起又は前記第２のプレッサ固定突起は、弾性力を有する弾性部材によって上／下方向に移動できるように備えられてなることを特徴とする、請求項９に記載の衣類処理装置。
【請求項１４】
前記第１のプレッサ固定突起及び前記第２のプレッサ固定突起は、弾性力を有する弾性部材によって上／下方向に移動できるように備えられてなることを特徴とする、請求項９に記載の衣類処理装置。
【発明の詳細な説明】
【技術分野】
【０００１】
本発明は、衣類処理装置に関する。
【背景技術】
【０００２】
一般に、衣類処理装置とは、衣類を洗濯、すすぎ、乾燥する洗濯装置、ぬれた衣類を乾燥する乾燥装置、衣類に染み付いた匂いを除去又はシワ（ｗｒｉｎｋｌｅ）を除去するリフレッシャー（ｒｅｆｒｅｓｈｅｒ）などを含む概念である。
【０００３】
従来の衣類処理装置は、回転するドラム内部に衣類を投入して、洗濯、乾燥、リフレッシャーを行っている。しかし、ドラムから取り出した衣類はシワが多くて直ぐには着れないという問題、洗濯水を用いた頻繁な洗濯は衣類の損傷をもたらすという問題、ドラムを回転させるためのモータ駆動によって大きいエネルギー消耗が発生するという問題がある。
【０００４】
かかる問題点を解決するために、洗濯水を貯留するタブ又は回転するドラムを除去して、衣類をかけた状態でスチーム又は熱風を供給して、洗濯、乾燥、リフレッシャーを行う衣類処理装置が発売された。
【０００５】
衣類処理装置は、衣類に予め形成した折り目（ｃｒｅａｓｅ）を再度プレスして、衣類の使用によるシワを除去するためのプレッサを含むことができる。
【０００６】
しかし、従来のプレッサは、衣類処理装置のドアに取り付けられた状態で発売されるため、プレッサをさらに使用して、プレッサの取り付け位置を変えることができないという問題があった。
【発明の概要】
【発明が解決しようとする課題】
【０００７】
よって、本発明は、従来技術の限界及び欠点に起因する１つ以上の問題点を実質的に解消する洗濯物処理装置に関する。
【０００８】
本発明は、衣類の洗濯、乾燥、脱臭、殺菌、及びシワ除去が可能な衣類処理装置を提供することを課題とする。
【０００９】
また、本発明は、衣類に発生したシワを除去して、衣類の折り目が鮮明になるように衣類をプレスする衣類処理装置を提供することを課題とする。
【００１０】
また、本発明は、プレッサの位置が移動できるように衣類処理装置に着脱自在なプレッサを提供することを課題とする。
【００１１】
また、本発明は、プレッサの厚さを画期的に減らして、衣類処理装置の内部空間を効率的に移動可能な衣類処理装置を提供することを課題とする。
【課題を解決するための手段】
【００１２】
本発明のさらなる利点、目的及び特徴は、以下の説明に部分的に記載され、以下の記載により当業者に明らかになるか、または本発明の実施例から分かることができる。本発明の目的及び他の利点は、明細書及び添付の図面において特に指摘された構造によって実現及び達成され得る。
【００１３】
本発明の目的は、独立請求項の特徴によって解決される。好ましい実施形態は従属請求項に記載されている。
【００１４】
上述した課題を解決するために、本発明は、衣類が収容される収容空間が備えられるキャビネット；前記収容空間を開閉するために前記キャビネットに回動自在に連結されたドア；衣類のシワを除去するために衣類をプレスするプレッサ；前記収容空間の内側面又は前記ドアに前記プレッサを固定するためのプレッサ固定部を含み、前記プレッサ固定部は、前記収容空間の内側面又は前記ドアから突出した支持ホルダー；前記支持ホルダーが挿入されるように前記プレッサの後面に凹状に備えられたプレッサ固定溝を含むことを特徴とする衣類処理装置を提供することができる。
【００１５】
一例による本発明は、前記収容空間の内側面又は前記ドアに備えられた支持部固定穴；および前記支持ホルダーから延びて、前記支持部固定穴に挿入される支持部固定突起を含むことを特徴とする衣類処理装置を提供することができる。
【００１６】
一例による本発明は、前記支持ホルダーには凹状に陥没した支持部溝が備えられ、前記プレッサ固定溝の内側から突出して、前記支持部溝に挿入されるプレッサ固定突起が備えられることを特徴とする衣類処理装置を提供することができる。
【００１７】
一例による本発明において、前記プレッサ固定突起は、弾性力を有する弾性部材によって上下に移動できるように備えられることを特徴とする衣類処理装置を提供することができる。
【００１８】
一例による本発明において、前記支持部溝は、前記支持ホルダーの上側に備えられることを特徴とする衣類処理装置を提供することができる。
【００１９】
一例による本発明において、前記支持ホルダーは、第１の支持ホルダーと、前記第１の支持ホルダーから所定距離だけ離隔して備えられた第２の支持ホルダーを含み、前記プレッサ固定溝は、前記第１の支持ホルダーが挿入される第１のプレッサ固定溝と、前記第２の支持ホルダーが挿入される第２のプレッサ固定溝を含むことを特徴とする衣類処理装置を提供することができる。
【００２０】
一例による本発明は、前記第１の支持ホルダーには凹状に陥没した第１の支持部溝が備えられ、前記第１のプレッサ固定溝の内側から突出して、前記第１の支持部溝に挿入される第１のプレッサ固定突起が備えられ、前記第２の支持ホルダーには凹状に陥没した第２の支持部溝が備えられ、前記第２のプレッサ固定溝の内側から突出して、前記第２の支持部溝に挿入される第２のプレッサ固定突起が備えられることを特徴とする衣類処理装置を提供することができる。
【００２１】
一例による本発明において、前記第１の支持部溝は、前記第１の支持ホルダーの上側に備えられ、前記第２の支持部溝は、前記第２の支持ホルダーの上側又は下側に備えられることを特徴とする衣類処理装置を提供することができる。
【００２２】
一例による本発明において、前記第１のプレッサ固定突起又は前記第２のプレッサ固定突起は、弾性力を有する弾性部材によって上下に移動できるように備えられることを特徴とする衣類処理装置を提供することができる。
【００２３】
一例による本発明において、前記第１のプレッサ固定突起及び前記第２のプレッサ固定突起は、弾性力を有する弾性部材によって上下に移動できるように備えられることを特徴とする衣類処理装置を提供することができる。
【００２４】
前述の一般的な説明および以下の本発明の詳細な説明は、例示的および説明的なものであり、本発明の特許請求の範囲の記載に対してさらなる説明を提供することを意図していることを理解されたい。
【発明の効果】
【００２５】
本発明は、衣類の洗濯、乾燥、脱臭、殺菌及びシワ除去が可能な衣類処理装置を提供する効果がある。
【００２６】
また、本発明は、衣類に発生したシワを除去して、衣類の折り目が鮮明になるように衣類をプレスする衣類処理装置を提供する効果がある。
【００２７】
また、本発明は、プレッサの位置が移動できるように衣類処理装置に着脱自在なプレッサを提供する効果がある。
【００２８】
また、本発明は、プレッサの厚さを画期的に減らして、衣類処理装置の内部空間を効率的に移動可能な衣類処理装置を提供する効果がある。
【図面の簡単な説明】
【００２９】
本出願に添付された本出願の一部を構成する図は、本発明の実施例を示して本発明のさらなる理解を提供して、明細書と共に本発明の原理を説明する役割を果たす。
【図１】本発明の一実施例による衣類処理装置を示す図である。
【図２】本発明の一実施例による衣類処理装置の断面を示す図である。
【図３】本発明の一実施例による衣類処理装置の断面を示す図である。
【図４】本発明の別の実施例による衣類処理装置を示す図である。
【図５】プレッサを収容空間の内側面に取り付ける使用例を示す図である。
【図６】プレッサの後面を示す図である。
【図７】図４のＡ−Ａ’の断面を示す図である。
【図８】図４のＢ−Ｂ’の断面を示す図である。
【発明を実施するための形態】
【００３０】
以下、添付図面に基づいて本発明の好適な実施例を詳細に説明する。一方、以下に開示する装置の構成や制御方法は本発明の実施例を説明するためのものであるだけで、本発明の権利範囲を限定するためではなく、明細書全般にわたって同じに使用された参照符号は同一構成要素を示す。
【００３１】
図１は、本発明の一実施例による衣類処理装置を示す図である。図２及び図３は、本発明の一実施例による衣類処理装置の断面を示す図である。
【００３２】
以下、図１を参考して、本発明の衣類処理装置を説明する。
【００３３】
本発明の衣類処理装置１００は、キャビネット１と、キャビネットの内部に備えられ、衣類が収容される衣類収容部３を含むことができる。
【００３４】
キャビネット１は、衣類処理装置１００の外観を形成することができ、長方体状であってもよい。
【００３５】
衣類収容部３は、キャビネット１の内部に位置して、衣類が収容される空間を提供する収容空間３１を含むことができる。
【００３６】
一例による衣類処理装置１００は、収容空間３１を開閉するためにキャビネット１に回動自在に連結されたドア１１を含むことができる。
【００３７】
一例による衣類処理装置１００は、収容空間３１に衣類を支持するための衣類支持部を備えることができる。
【００３８】
衣類支持部は、収容空間３１の内部に備えられる第１の衣類支持部３１０と、ドア１１に備えられる第２の衣類支持部３１２、収容空間３１の内側面３１ａに備えられる第３の衣類支持部３１４のうち少なくとも１つを含むことができる。
【００３９】
第１の衣類支持部３１０は、収容空間３１の幅方向（ドアの幅方向、Ｙ軸方向）に沿って備えられるバー（ｂａｒ）状に形成することができる。
【００４０】
衣類は、ハンガーＨに備えられたフックによって第１の衣類支持部３１０に支持されることもできる。
【００４１】
第２の衣類支持部３１２は、衣類が広げられた状態を維持したまま収容空間３１の内部に位置するようにドア１１に設けられることができる。
【００４２】
第３の衣類支持部３１４は、収容空間３１の内側面３１ａを成す背面、左側面、右側面のうち少なくとも１つに設けられることができる。
【００４３】
図２を参照すると、第２の衣類支持部３１２は、ドア１１に固定されるベース５４、ベース５４から突設され、ドア１１の高さ方向（Ｚ軸方向）に沿って配置される少なくとも１つの支持部５１，５２，５３を含むことができる。
【００４４】
一例による衣類処理装置１００は、キャビネット１の内部に収容空間３１と分離された機械室７と、機械室７の内部に備えられ、衣類収容部に空気又は水分のうち少なくとも１つを供給する供給部を含むことができる。
【００４５】
機械室７は、収容空間３１の下部に位置することができる。
【００４６】
供給部によって収容空間３１に供給される空気は、加熱された空気（ｈｅａｔｅｄ  ａｉｒ、熱風）であり、供給部によって収容空間に供給される水分は、スチーム（ｓｔｅａｍ）であり得る。
【００４７】
供給部は、収容空間３１に空気（加熱された空気又は加熱されていない空気）を供給する空気供給部７１と、収容空間３１に水分（ｓｔｅａｍ又はｍｉｓｔ）を供給する水分供給部７２とのうち少なくともいずれか１つを含むことができる。
【００４８】
以下、説明の便宜のために、供給部が空気供給部７１及び水分供給部７２をいずれも含み、空気供給部７１は熱風を収容空間３１に供給して、水分供給部７２はスチームを収容空間３１に供給する場合を基準として説明する。
【００４９】
空気供給部７１は、収容空間３１の内部の空気を循環させる循環ダクト７１１、循環ダクト７１１に沿って流動する空気と熱交換する熱交換部７１３、収容空間３１の内部の空気が循環ダクト７１１に沿って流動できるようにするブロア７１５を含むことができる。
【００５０】
循環ダクト７１１は、収容空間３１に備えられた空気排出部３５及び空気吸入部３６を介して収容空間３１の内部と連通して、収容空間の内部の空気は、空気吸入部、循環ダクト、空気排出部、収容空間の順に循環する。
【００５１】
空気排出部３５と空気吸入部３６は、収容空間３１の底面を貫通するように設けられる。機械室７の内部に備えられた循環ダクト７１１の一端は空気吸入部３６に連結され、循環ダクト７１１の他端は空気排出部３５に連結される。
【００５２】
熱交換部７１３は、循環ダクト７１１へ流入した空気の除湿及び加熱のためにヒートポンプ（ｈｅａｔ  ｐｕｍｐ）として形成されてもよい。ただし、本発明の衣類処理装置に備えられた熱交換部がヒートポンプに限られるわけではない。
【００５３】
熱交換部７１３は、循環ダクト７１１の内部に備えられる蒸発器Ｅ、循環ダクト７１１の内部に位置する凝縮器Ｃ、循環ダクトの外部に位置する圧縮器Ｐ及び膨張器Ｅｘを含むことができる。蒸発器Ｅ、圧縮器Ｐ、凝縮器Ｃ及び膨張器Ｅｘは、冷媒管７１４によって互いに連結される。
【００５４】
圧縮器Ｐは、冷媒が冷媒管７１４に沿って循環するように冷媒を高圧に圧縮する手段であり、蒸発器Ｅは、循環ダクト７１１の内部の空気から熱を吸収して冷媒を蒸発させる手段であり、凝縮器Ｃは、循環ダクト７１１の内部の空気で熱を放出することで冷媒を凝縮させる手段である。
【００５５】
ブロア７１５は、循環ダクト７１１の内部に位置して、収容空間３１の内部の空気が循環ダクト７１１を通じて循環するようにする手段であって、凝縮器Ｃと空気排出部３５の間に位置してもよい。
【００５６】
ブロア７１５が作動するとき、循環ダクト７１１の内部の空気は空気排出部３５を通じて収容空間３１へ移動して、収容空間３１の内部の空気は空気吸入部３６を通じて循環ダクト７１１へ移動する。
【００５７】
空気吸入部３６を通じて循環ダクト７１１へ流入される空気は、蒸発器Ｅを通過しながら冷却され、蒸発器Ｅを通過した空気は凝縮器Ｃを通過しながら加熱される。
【００５８】
蒸発器Ｅを通過して空気が冷却される場合、空気に含有された水分は除去され（除湿）、空気から除去された水分（凝縮水）は、蒸発器の表面や循環ダクトの内部に残留する。
【００５９】
一例による衣類処理装置１００は、蒸発器Ｅによって発生する凝縮水を除去するための排水部を含むことができる。排水部は、循環ダクト７１１の内部に凝縮水が残留して、熱交換部７１３の熱交換の効率を低下させることを防止する。
【００６０】
排水部は、機械室ドア７４に着脱自在に設けられる排水タンク７４５、循環ダクト７１１の内部の凝縮水を排水タンク７４５に供給する排水管７４７及び排水ポンプ７４９を含むことができる。
【００６１】
一方、図３のように、水分供給部７２は、機械室７の内部に備えられる貯留部７２１、貯留部７２１の内部に備えられるヒータ７２５、貯留部７２１を水分排出部３７に連結する水分供給管７２７を含むことができる。
【００６２】
貯留部７２１は水が貯留される手段であり、ヒータ７２５は貯留部７２１の内部に貯留された水を加熱して水をスチームに変える手段であり、水分供給管７２７は貯留部７２１の内部のスチームを収容空間３１に導く手段である。
【００６３】
貯留部７２１には給水部を通じて水が供給されるが、給水部は機械室ドア７４に着脱自在に備えられた給水タンク７４３として形成されてもよい。
【００６４】
貯留部７２１には機械室ドア７４が機械室７を閉鎖すると、給水タンク７４３に連結され、機械室ドア７４が機械室７を開放すると、給水タンク７４３から分離される連結管７２３をさらに含んでもよい。
【００６５】
給水タンク７４３を機械室ドア７４に着脱自在に形成することは、本発明の衣類処理装置１００が給水源（未図示）から遠く離れた位置に設置される場合を考慮したからである。
【００６６】
本発明は、衣類が収容空間３１の内部で広げられた状態を維持しながら熱風やスチームを供給されるため、スチームや熱風の供給が終った後、衣類にシワが生じることを防止することができる。
【００６７】
一例による衣類処理装置１００は、衣類収容部の内部に備えられて衣類のシワを除去したり、衣類に予め設定されている折り目（ｃｒｅａｓｅ）を固定したりするプレッサ９を含むことができる（図１を参照）。
【００６８】
プレッサ９は、衣類に発生したシワを除去したり、衣類に予め設定されている折り目を固定するために衣類をプレスすることができる。
【００６９】
プレッサ９は、収容空間３１の内側面３１ａ又はドア１１に備えられて衣類を支持する支持部９１、支持部９１に回動自在に備えられて支持部９１に位置した衣類を加圧する圧縮部９３で構成することができる。
【００７０】
支持部９１は、収容空間３１に向かうドア１１の表面に備えられるか、収容空間３１の内側面３１ａに備えられる支持ボディー９１１で構成することができる。
【００７１】
圧縮部９３において、一側は支持ボディー９１１の一側に回動自在に連結され、他側は自由端であって、支持ボディー９１１の他側に着脱自在に備えられる圧縮ボディー９３１、圧縮ボディー９３１を貫通するように備えられたボディー貫通穴９３３で構成することができる。
【００７２】
圧縮ボディー９３１を支持ボディー９１１に着脱するための締結部９７１，９７３を含むことができる。
【００７３】
締結部９７１，９７３は、圧縮ボディー９３１と支持ボディー９１１のうちいずれか１つに備えられた着脱溝９７１と、圧縮ボディー９３１と支持ボディー９１１のうち他方に備えられて着脱溝に嵌合する締結突起９７３で構成することができる。
【００７４】
衣類を支持ボディー９１１の表面に支持させた後、圧縮ボディー９３１を締結部によって支持ボディー９１１に締結すると、衣類は支持ボディー９１１と圧縮ボディー９３１の間で加圧され、収容空間３１へ供給された熱風やスチームは、ボディー貫通穴９３３を通じて衣類に供給される。衣類に発生したシワが除去され、衣類に予め設定された折り目が鮮明になる効果がある。
【００７５】
一例による衣類処理装置１００は、収容空間３１の内側面３１ａ又はドア１１にプレッサ９を固定するためのプレッサ固定部２００を含むことができる。
【００７６】
本発明の一例によるプレッサ９は、ドア１１の内側面１１ａに着脱自在に設けられることができる。または、プレッサ９は、収容空間３１の内側面３１ａに着脱自在に設けられることができる。
【００７７】
図１は、プレッサ９がドアの内側面１１ａに設けられた例を示す図であり、図４は、プレッサ９が収容空間３１の内側面３１ａに設けられた例を示す図である。図５は、プレッサ９を収容空間３１の内側面３１ａに取り付ける使用例を示す図である。図６は、プレッサの後面を示す図である。
【００７８】
以下、図５を参照して、収容空間３１の内側面３１ａにプレッサ９を着脱自在に固定するためのプレッサ固定部２００を説明する。但し、後述するプレッサ固定部２００に関する内容は、プレッサ９をドアの内側面１１ａに設けるときにも同様に適用することができる。
【００７９】
図７は、図４のＡ−Ａ’の断面図であり、図８は、図４のＢ−Ｂ’の断面図である。以下、図５〜図８を参照して、プレッサ固定部について説明する。
【００８０】
プレッサ固定部２００は、収容空間３１の内側面３１ａ又はドア１１から突出した支持ホルダー２２０と、支持ホルダー２２０が挿入されるようにプレッサ９の後面に凹状に備えられたプレッサ固定溝２５０で構成することができる。
【００８１】
プレッサ固定溝２５０の内部に支持ホルダー２２０が挿入され、プレッサ９は支持ホルダー２２０に支持されて収容空間の内部にかけられることができる。
【００８２】
支持ホルダー２２０は、収容空間３１の内側面３１ａ又はドア１１に一体に形成されることができる。または、支持ホルダー２２０は、収容空間３１の内側面３１ａ又はドア１１に着脱自在な別の部材で形成されることができる。
【００８３】
支持ホルダー２２０を別の部材で構成する場合、図７のように、一例による衣類処理装置は、収容空間３１の内側面３１ａ又はドア１１の内側面１１ａに備えられた支持部固定穴２１０と、支持ホルダー２２０から延びて、支持部固定穴２１０に挿入されて固定される支持部固定突起２２１を備えることができる。
【００８４】
支持部固定穴２１０は、収容空間３１の内側面３１ａ又はドア１１の内面に形成されることができ、支持部固定穴２１０から内側に延長された延長部２１１を備えることができる。延長部２１１は、支持部固定突起２２１を上下側に支持して、支持ホルダー２２０にプレッサ９と衣類の荷重が作用しても、支持部固定穴２１０から支持部固定突起２２１が引き出されないようにすることができる。
【００８５】
支持ホルダー２２０には凹状に陥没した支持部溝２２２が形成されることができる。支持部溝２２２は、支持ホルダー２２０の上側又は下側に備えられる。
【００８６】
支持部固定溝２１０の内側には、突出して支持部溝２２２に挿入されるプレッサ固定突起２５１が備えられる。
【００８７】
プレッサ固定突起２５１は、プレッサ固定溝２５０の内部に挿入された支持ホルダー２２０の外面に備えられた支持部溝２２２に挿入されて、支持ホルダー２２０がプレッサ固定溝２５０から離脱することを防止することができる。
【００８８】
支持部溝２２２が支持ホルダー２２０の上側に備えられた場合、プレッサ固定突起２５１はプレッサ固定溝２５０の内部において上側から下側に突出して備えられる。
【００８９】
図８のように、プレッサ固定突起２５１は、弾性力を有する弾性部材Ｓによって上下に移動できるように備えられてもよい。
【００９０】
弾性部材Ｓは、プレッサ固定突起２５１を支持部溝２２２に挿入する方向に弾性力を作用する。
【００９１】
プレッサ固定突起２５１は、プレッサ固定溝２５０の内部に備えられたプレッサガイド穴２５３を通じて直線移動ができるように備えられる。
【００９２】
弾性部材Ｓによってプレッサ固定突起２５１の終端はガイド穴２５３を通じてプレッサ固定溝２５０に露出するように備えられる。プレッサ固定突起２５１に外力が作用する場合、プレッサガイド穴２５３の内側にプレッサ固定突起２５１は挿入され、弾性部材Ｓによってプレッサ固定突起２５１は復元力を有する。
【００９３】
支持ホルダー２２０をプレッサ固定溝２５０に挿入する場合、支持ホルダー２２０はプレッサ固定突起２５１に外力を加えて、プレッサ固定突起２５１がプレッサガイド穴２５３の内側に引き込まれるようにする。支持ホルダー２２０がプレッサ固定溝２５０に完全に挿入されると、支持ホルダーに備えられた支持部溝２２２の内側にプレッサ固定突起２５１は挿入されて、支持ホルダーがプレッサ固定溝から引き出されることを防止する。
【００９４】
プレッサ９が収容空間の内側面３１ａ又はドアに設けられて固定される場合、プレッサ固定突起２５１は、支持部溝２２２に挿入された状態でプレッサ及び衣類の荷重を作用して締結力が高める。
【００９５】
一方、支持ホルダー２２０の下側に支持部傾斜部２２３を備えることができる。支持部傾斜部２２３は、膨らんだ曲面を有するように備えられてもよい。
【００９６】
支持ホルダー２２０の下側に支持部傾斜部２２３を備える理由は、収容空間の内側面３１ａ又はドアの内面に取り付けられたプレッサ９を分離するためである。
【００９７】
支持ホルダー２２０がプレッサ固定溝２５０の内部に挿入された場合、支持ホルダーの下側に支持部傾斜部２２３とプレッサ固定溝２５０の間は離隔されることができる。
【００９８】
プレッサ９を上側に移動させると、プレッサ固定溝は支持部傾斜部によって収容空間の内側面３１ａ又はドアの内面から離れるようにプレッサ９を移動させる。
【００９９】
この場合、プレッサ固定溝２５０の内部に備えられたプレッサ固定突起２５１が支持ホルダー２２０に備えられた支持部溝２２２から離脱することができる。
【０１００】
一例による衣類処理装置１００において、支持ホルダー２２０は、第１の支持ホルダー２２０ａと、第１の支持ホルダー２２０ａから下側に所定距離だけ離隔して第２の支持ホルダー２２０ｂで構成することができる。
【０１０１】
プレッサ固定溝２５０は、第１の支持ホルダー２２０ａが挿入される第１のプレッサ固定溝２５０ａと、第２の支持ホルダー２２０ｂが挿入される第２のプレッサ固定溝２５０ｂで構成することができる。
【０１０２】
第１のプレッサ固定溝２５０ａと第２のプレッサ固定溝２５０ｂは、プレッサ９の後面に備えられ、互いに所定距離だけ離隔して、第１のプレッサ固定溝の下側に第２のプレッサ固定溝が備えられる。
【０１０３】
第１の支持ホルダー２２０ａには凹状に陥没した第１の支持部溝２２２ａが備えられ、第１のプレッサ固定溝２５０ａの内側から突出して、第１の支持部溝２２２ａに挿入される第１のプレッサ固定突起２５１ａを備えることができる。
【０１０４】
第２の支持ホルダー２２０ｂには凹状に陥没した第２の支持部溝２２２ｂが備えられ、第２のプレッサ固定溝２５０ｂの内側から突出して、第２の支持部溝２２２ｂに挿入される第２のプレッサ固定突起２５１ｂを備えることができる。
【０１０５】
第１の支持部溝２２２ａは第１の支持ホルダー２２０ａの上側に備えられ、第２の支持部溝２２２ｂは第２の支持ホルダー２２０ｂの上側又は下側に備えられる。
【０１０６】
第２の支持部溝２２２ｂが第２の支持ホルダー２２０ｂの上側に備えられる場合、上側の第１の支持ホルダーと下側の第１の支持ホルダーにプレッサを締結するために、第１の支持ホルダーの上側と第２の支持ホルダーの上側から下側にそれぞれ第１のプレッサ固定溝と第２のプレッサ固定溝を嵌合することができる。この場合、第１の支持ホルダーの上側と第２の支持ホルダーの上側にプレッサの荷重が分散して固定されることができる。
【０１０７】
一方、第２の支持部溝２２２ｂが第２の支持ホルダー２２０ｂの下側に備えられる場合、上側の第１の支持ホルダーを第１のプレッサ固定溝に締結させた後、下側の第２の支持ホルダーを第２のプレッサ固定溝に締結することができる。この場合、第１の支持ホルダーの上側にプレッサの荷重が集中してかかり、下側の第２の支持ホルダーに備えられた第２の支持部溝に挿入された第２のプレッサ固定突起はプレッサが第１の支持ホルダーを軸として回転することを防止する。
【０１０８】
第１のプレッサ固定突起２５１ａと第２のプレッサ固定突起２５１ｂのうち少なくとも１つは、弾性力を有する弾性部材によって上下に移動できるように備えられる。本発明において、第２のプレッサ固定突起２５１ｂが弾性部材によって上下に移動できるように備えられ、第１のプレッサ固定突起２５１ａは第１のプレッサ固定溝の内側に一体に固定されるように備えられることが好ましい。
【０１０９】
図５及び図６を参照すると、プレッサ９を収容空間の内側面３１ａに着脱するために、第１の支持ホルダー２２０ａを第１のプレッサ固定溝２５０ａに挿入させて、第１の支持部溝２２２ａに第１のプレッサ固定突起２５１ａを挿入させた後、プレッサ９の前面に外力を加える。
【０１１０】
これによって、第２の支持ホルダー２２０ｂは第２のプレッサ固定溝２５０ｂに挿入されて第２のプレッサ固定突起２５１ｂに外力を作用して、第２の支持ホルダー２２０ｂが完全に第２のプレッサ固定溝２５０ｂに挿入されると、第２の支持ホルダー２２０ｂの内側に備えられた第２の支持部溝２２２ｂ内に第２のプレッサ固定突起２５１ｂが弾性部材による復元力を受けて挿入され、第２の支持ホルダー２２０ｂを固定する。
【０１１１】
上述した本発明は、衣類の洗濯、乾燥、脱臭、殺菌、及びシワ除去が可能な衣類処理装置を提供する。
【０１１２】
さらに、本発明による衣類処理装置は、衣類に発生したシワを除去して、衣類の折り目が鮮明になるように衣類をプレスする。
【０１１３】
さらに、本発明による衣類処理装置は、プレッサの位置が移動できるように衣類処理装置に着脱自在なプレッサを提供する。
【０１１４】
また、本発明による衣類処理装置は、プレッサの厚さを画期的に減らして、衣類処理装置の内部空間を効率的に移動可能な衣類処理装置を提供する。
【０１１５】
本発明から逸脱しない範囲で本発明が様々に修正及び変更できることは当業者にとっては自明である。よって、本発明は添付の請求の範囲及び均等物の範囲内で本発明の修正及び変更を含むものと理解されるべきである。
【図１】
2019534100.tif 000003
【図２】
2019534100.tif 000004
【図３】
2019534100.tif 000005
【図４】
2019534100.tif 000006
【図５】
2019534100.tif 000007
【図６】
2019534100.tif 000008
【図７】
2019534100.tif 000009
【図８】
2019534100.tif 000010
【国際調査報告】
2019534100.tif 000011
2019534100.tif 000012
2019534100.tif 000013